(57)【要約】【課題】コストダウンできるミストサウナ装置を提供すること。【解決手段】温水を噴霧するノズル２２と、ノズル２２から噴霧された温水を加熱してミスト状態にするヒータ３０と、ヒータ３０の熱で発生したミストを温風で浴室１へ送り出す送風ファン１２とを備えるものにおいて、ヒータ３０が、板状のものであって、面をノズル側へ向けた姿勢でノズル２２の下方に配置されている。【選択図】    図３
2012205789.tif 000002
【特許請求の範囲】
【請求項１】
温水を噴霧するノズルと、前記ノズルから噴霧された温水を加熱してミスト状態にするヒータと、前記ヒータの熱で発生したミストを温風で浴室へ送り出す送風ファンとを備えるミストサウナ装置において、
前記ヒータが、板状のものであって、面を前記ノズル側へ向けた姿勢で前記ノズルの下方に配置されていることを特徴とするミストサウナ装置。
【請求項２】
請求項１に記載するミストサウナ装置において、
前記ヒータが、前記送風ファンと反対側を低くするように、水平面に対して傾斜して設置されていることを特徴とするミストサウナ装置。
【請求項３】
請求項１又は請求項２に記載するミストサウナ装置において、
前記ノズルを挟んで前記送風ファンと反対側に第１遮蔽板が設置され、第１遮蔽板と前記ヒータとの間に隙間が形成されていることを特徴とするミストサウナ装置。
【請求項４】
請求項３に記載するミストサウナ装置において、
前記第１遮蔽板を挟んで前記送風ファンと反対側に第２遮蔽板が設置され、
前記第２遮蔽板の下端部が前記ヒータに接触し、
前記第２遮蔽板の上端部に隙間が形成されていることを特徴とするミストサウナ装置。
【発明の詳細な説明】
【技術分野】
【０００１】
本発明は、浴室やシャワー室に設置するミストサウナ装置に関する。
【背景技術】
【０００２】
浴室に設置するミストサウナ装置は、一般的に、６０度から７０度程度の温水をノズルで噴霧することにより浴室内をサウナ状態とするもので、その中で粒径が１μｍ以下のミスト（マイクロミスト）を発生させ、そのマイクロミストを送風ファンから送られる温風で浴室へ送り出すことにより、浴室やシャワー室の温度と湿度を上昇させ、サウナ状態を作り出すものである。マイクロミストを使用するのは、浴室内や身体を濡らさず、入浴者が快適に入浴できるようにするためである。このようなミストサウナ装置は、血流促進効果、体温保温効果、リラックス効果、美容効果など、種々の面で優れ、注目されている。このミストサウナ装置を広く一般家庭に普及させられるように、ミストを効率良く発生させる技術が各種提案されている。
【０００３】
例えば、特許文献１には、熱源機からの温水が吹き付けられる熱交換器と、該熱交換器に温水を噴霧するノズルと、熱源機からノズルに至る給湯配管と、浴室内にミストを噴出させる送風ファンとからなるものであって、前記給湯配管の途中に温水を再度加熱する再加熱手段を設けたミストサウナ装置が記載されている。
【先行技術文献】
【特許文献】
【０００４】
【特許文献１】特開２００１−１９０６３１号公報
【発明の概要】
【発明が解決しようとする課題】
【０００５】
しかしながら、従来のミストサウナ装置は、熱交換器に噴霧される温水のうち、約２０％しかマイクロミストにできなかった。残り８０％の温水は、水滴となって排水管に集められ、排水されていた。よって、従来のミストサウナ装置は、マイクロミストにできなかった温水を排水する排水管を設けることが必要であった。また、浴室をミストサウナ状態とするのに必要な水の使用量が、排水分だけ多くなってしまっていた。
【０００６】
本発明は、上記問題点を解決するためになされたものであり、コストダウンできるミストサウナ装置を提供することを目的とする。
【課題を解決するための手段】
【０００７】
本発明に係るミストサウナ装置は、次のような構成を有している。
（１）温水を噴霧するノズルと、前記ノズルから噴霧された温水を加熱してミスト状態にするヒータと、前記ヒータの熱で発生したミストを温風で浴室へ送り出す送風ファンとを備えるミストサウナ装置において、前記ヒータが、板状のものであって、面を前記ノズル側へ向けた姿勢で前記ノズルの下方に配置されていることを特徴とする。
【０００８】
（２）（１）に記載の発明において、前記ヒータが、前記送風ファンと反対側を低くするように、水平面に対して傾斜して設置されていることを特徴とする。
【０００９】
（３）（１）又は（２）に記載の発明において、前記ノズルを挟んで前記送風ファンと反対側に第１遮蔽板が設置され、第１遮蔽板と前記ヒータとの間に隙間が形成されていることを特徴とする。
【００１０】
（４）（３）に記載の発明において、前記第１遮蔽板を挟んで前記送風ファンと反対側に第２遮蔽板が設置され、前記第２遮蔽板の下端部が前記ヒータに接触し、前記第２遮蔽板の上端部に隙間が形成されていることを特徴とする。
【発明の効果】
【００１１】
本発明のミストサウナ装置は、温水を噴霧するノズルと、ノズルから噴霧された温水を加熱してミスト状態にするヒータと、ヒータの熱で発生したミストを温風で浴室へ送り出す送風ファンとを備えるものにおいて、ヒータが、板状のものであって、面をノズル側へ向けた姿勢でノズルの下方に配置されていることにより、マイクロミストとならなかった水をヒータの熱で気化させ、浴室へ送り出すことが可能になる。つまり、ノズルから噴霧された温水を蒸気又はマイクロミストとして全て浴室へ送り出すことができる。そのため、マイクロミストとならなかった水を排水する排水管を設ける必要がない。また、ノズルから噴霧される温水を全て浴室の加湿及び温度上昇に使用できるので、加湿及び温度上昇に必要な量以上に温水を使用しない。よって、本実施形態のミストサウナ装置によれば、排水設備にかかる費用や温水の使用量を削減し、コストダウンを図ることができる。
【００１２】
本発明のミストサウナ装置は、ヒータが、送風ファンと反対側を低くするように、水平面に対して傾斜して設置されているので、マイクロミストとならずに落下した水を板状のヒータに集めて蒸発させ、マイクロミスト化することができる。
【００１３】
本発明のミストサウナ装置は、ノズルを挟んで送風ファンと反対側に第１遮蔽板が設置され、第１遮蔽板とヒータとの間に隙間が形成されているので、１μｍ以上のミストが温風に飛ばされて浴室へ送り出されることを防止できる。
【００１４】
本発明のミストサウナ装置は、第１遮蔽板を挟んで送風ファンと反対側に第２遮蔽板が設置され、第２遮蔽板の下端部がヒータに接触し、第２遮蔽板の上端部に隙間が形成されているので、１μｍを超えるミストが、浴室へ送り出されることを防止できる。
【図面の簡単な説明】
【００１５】
【図１】本発明の実施形態に係るミストサウナ装置を適用した浴室のイメージ図である。
【図２】同じく、ミストサウナ装置の概略構成を示す図である。
【図３】同じく、ミスト発生装置の構造を示す図である。
【図４】同じく、ミスト発生装置に使用されるノズルの構造を示す図である。
【発明を実施するための形態】
【００１６】
以下に、本発明に係るミストサウナ装置の好ましい実施形態について、図面を参照しつつ詳細に説明する。
【００１７】
図１は、本発明の実施形態に係るミストサウナ装置１０を適用した浴室１のイメージ図である。
浴室１は、浴槽２の上方に、浴室暖房乾燥機３が設置されている。浴室暖房乾燥機３には、後述するミスト発生装置１１が内蔵され、後述のミストサウナ装置１０としても機能する。浴槽２の上方には、洗濯竿４が架設されている。浴室暖房乾燥機３は、換気モード、衣類乾燥モード、暖房モード、涼風モード、２４時間換気モード、ミストサウナモードを選んで実行できる機能を備える。
【００１８】
図２は、ミストサウナ装置１０の概略構成を示す図である。
ミストサウナ装置１０は、暖房用熱源５において暖房器具との熱交換用にバーナ燃焼させて作った暖房用温水を利用している。暖房用熱源５には、暖房用熱源５で加熱された暖房用温水を循環させる暖房用温水回路６が接続されている。熱交換器８は、暖房用温水回路６と、水道水を供給する給水回路７に接続され、給水回路７を流れる水道水を暖房用温水回路６を流れる温水により加熱する。水道水は、浴室１をミストサウナ状態とする場合の室温より高温に設定されている。熱交換器８は、噴霧用温水回路９を介してミストサウナ装置１０のミスト発生装置１１に接続されている。ミスト発生装置１１は、送風ファン１２に隣設され、送風ファン１２から送られる温風により発生したミストが浴室１へ送り出されるようになっている。温風は、マイクロミスト化するのに適した温度に設定されている。
【００１９】
図３は、ミスト発生装置１１の構造を示す図である。
ミスト発生装置１１は、本体ケース２１にノズル２２と、板状のヒータ３０と、第１及び第２遮蔽板２５、２６が備えられている。ノズル２２は、温水を噴霧する噴出口２２ａを備える。ノズル２２は、ミストを送風ファン１２の風に乗せるために、その噴出口２２ａを送風ファン１２と反対側に向けた姿勢で本体ケース２１の上面に固定されている。
【００２０】
板状のヒータ３０は、斜行板２３と加熱ヒータ２４とからなり、ノズル２２から噴霧された温水を加熱してミスト状態にする。斜行板２３は、面をノズル２２側へ向けた姿勢で、ノズル２２の下方に配置されている。斜行板２３は、送風ファン１２と反対側が低くなるように、水平面に対して傾斜して設けられている。斜行板２３の低い位置には、下方へ凹んだ凹み部２３ａが形成され、温風に乗らずに下に落ちたミストが集められるようになっている。
【００２１】
加熱ヒータ２４は、凹み部２３ａ内に取り付けられ、凹み部２３ａを中心に斜行板２３を加熱するようになっている。加熱ヒータ２４は、凹み部２３ａに集められた水滴を蒸発させられる温度に凹み部２３ａを加熱する。本実施形態では、凹み部２３ａは、３００℃に加熱された加熱ヒータ２４からの熱伝導により昇温する。この加熱ヒータ２４は、斜行板２３に貼設されていてもよいし、斜行板２３に内蔵されていても良い。また、加熱ヒータ２４は、板状のものであってもよいし、棒状のものを並べて構成しても良い。
【００２２】
第１遮蔽板２５は、加熱ヒータ２４とノズル２２との間を仕切るようにして本体ケース２１に取り付けられている。第１遮蔽板２５と斜行板２３との間には、隙間Ｓ１が形成されている。第２遮蔽板２６は、斜行板２３の低位置側端部に接するように本体ケース２１に取り付けられている。第２遮蔽板２６と本体ケース２１の上面との間には、隙間Ｓ２が形成されている。第１および第２遮蔽板２５，２６により、温風が第１遮蔽板２５にぶつかって斜行板２３側へ集められて隙間Ｓ１を通過した後、第２遮蔽板２６にぶつかって上昇し、隙間Ｓ２から本体ケース２１の外部へ流れる気流が本体ケース２１内に発生し、マイクロミストのみが本体ケース２１の外部へ噴出されるようになる。遮蔽板２５，２６は、１μｍを超えるミストが浴室１へ送り出されることを防止する役割を有する。
【００２３】
図４は、ミスト発生装置１１に使用されるノズル２２の構造を示す図である。
ノズル２２は、噴霧用温水回路９に接続される雄ねじ部２２ｂと、温水を噴出する噴出口２２ａを備える。噴出口２２ａは、広角に温水を噴霧するように構成されている。
【００２４】
続いて、上記構成を備えるミストサウナ装置１０の動作について説明する。
送風ファン１２は、ミスト発生装置１１の本体ケース２１内に温風を送り込んでいる。温風は、隙間Ｓ１，Ｓ２を通過するように、本体ケース２１内を蛇行して通過する。本実施形態では、約６０℃に熱せられた空気が、６ｍ3/ｍｉｎずつ本体ケース２１へ送り込まれる。
また、斜行板２３は、凹み部２３ａが加熱ヒータ２４によって加熱される。
【００２５】
この状態において、ノズル２２から温水を噴霧する。本実施形態では、ノズル２２は、約７０℃に加熱された温水を、０．０２ｌ/ｍｉｎずつ噴射する。ノズル２２の噴出口２２ａが送風ファン１２と反対側にある第１遮蔽板２５側へ向いているため、ノズル２２から噴射されたミストが、温風の気流に乗って、下流へ流れる。温風が約６０℃に加熱されているため、ノズル２２から噴霧されたミストは、温風にさらされても液化しにくい。
【００２６】
このとき、粒径１μｍ以下のマイクロミストは、温風の流れに乗って隙間Ｓ１，Ｓ２を通過し、浴室１へ送り出される。
一方、粒径１μｍを超えるミストは、ノズル２２から噴出されると、第１遮蔽板２５や斜行板２３にぶつかって水滴となる。斜行板２３が、送風ファン１２と反対側を低くするように傾斜しているため、水滴は、凹み部２３ａへ自然に集められる。また、隙間Ｓ１を通過したマイクロミストのうち、第２遮蔽板２６にぶつかったものも水滴となり、凹み部２３ａへ流れ落ちて集められる。
【００２７】
凹み部２３ａは、加熱ヒータ２４により３００℃に加熱されている。そのため、凹み部２３ａに集められた水は蒸発する。蒸気は、第２遮蔽板２６の立ち上がりに沿って上昇し、加熱ヒータ２４上を流れる温風にさらされる。温風は、蒸気の温度より低温の８０℃である。そのため、蒸気は温風に冷却されて微細化した水滴となり、マイクロミストになる。このマイクロミストは、送風ファン１２から送られてくる温風の気流に乗って隙間Ｓ２から浴室１へ送り出される。
【００２８】
浴室１は、ミストサウナ装置１０から送り出されたマイクロミストにより加湿される。マイクロミストは、６０℃前後で浴室１へ送り出された後、浴室１の空気に冷却されて４０℃以上４５℃以下の範囲の温度に冷却される。これにより、浴室１が４０℃以上４５℃以下の範囲に温度上昇する。そして、ミストサウナ装置は、たとえば、浴室１が、目標のミストサウナ状態（例えば、湿度８０％、室温４３℃）になると、その状態を維持するように維持動作を行う。
【００２９】
以上説明したように、本実施形態のミストサウナ装置１０は、温水を噴霧するノズル２２と、ノズル２２から噴霧された温水を加熱してミスト状態にするヒータ３０と、ヒータ３０の熱で発生したミストを温風で浴室１へ送り出す送風ファン１２とを備えるものにおいて、ヒータ３０が、板状のものであって、面をノズル側へ向けた姿勢でノズル２２の下方に配置されていることにより、マイクロミストとならなかった水をヒータ３０の熱で気化させ、浴室１へ送り出すことが可能になる。つまり、ノズル２２から噴霧された温水を蒸気又はマイクロミストとして浴室１へ全て送り出すことができる。そのため、マイクロミストとならなかった水を排水する排水管を設ける必要がない。また、ノズル２２から噴霧される温水を全て浴室１の加湿及び温度上昇に使用できるので、加湿及び温度上昇に必要な量以上に温水を使用しない。よって、本実施形態のミストサウナ装置１０によれば、排水設備にかかる費用や温水の使用量を削減し、コストダウンを図ることができる。
【００３０】
本実施形態のミストサウナ装置１０は、ヒータ３０が、送風ファン１２と反対側を低くするように、水平面に対して傾斜して設置されているので、マイクロミストとならずに落下した水を板状のヒータ３０に集めて蒸発させ、マイクロミスト化することができる。
【００３１】
本実施形態のミストサウナ装置１０は、ノズル２２を挟んで送風ファン１２と反対側に第１遮蔽板２５が設置され、第１遮蔽板２５とヒータ３０との間に隙間Ｓ１が形成されているので、１μｍ以上のミストが温風に飛ばされて浴室１へ送り出されることを防止できる。
【００３２】
本実施形態のミストサウナ装置１０は、第１遮蔽板２５を挟んで送風ファン１２と反対側に第２遮蔽板２６が設置され、第２遮蔽板２６の下端部がヒータ３０に接触し、第２遮蔽板２６の上端部に隙間Ｓ２が形成されているので、１μｍを超えるミストが浴室１へ送り出されることを防止できる。
【００３３】
更に、本実施形態のミストサウナ装置１０は、斜行板２３の低い位置に加熱ヒータ２４を設けたので、１μｍを超えるミストが集められる位置を加熱ヒータ２４で集中して加熱し、水を蒸発させ、蒸発した水を温風で冷却してマイクロミスト化する。よって、本実施形態のミストサウナ装置１０によれば、斜行板２３を加熱して蒸気を発生させるエネルギーを抑えることができる。
【００３４】
尚、本発明は、上記実施形態に限定されることなく、色々な応用が可能である。
例えば、上記実施形態では、ミスト発生装置１１を浴室暖房乾燥機３に内蔵したが、独立して浴室１にミスト発生装置１１を設置しても良い。
例えば、上記実施形態では、凹部２３ａで蒸発した蒸気をマイクロミスト化することにより、ノズル２２から噴霧された温水を１００％マイクロミスト化したが、凹部２３ａで蒸発した蒸気を浴室１へ送り出しても良い。つまり、ノズル２２から噴霧される温水を蒸気化又はマイクロミスト化して浴室１へ送り出しても良い。
上記実施形態では、熱交換器８を浴室暖房乾燥機３の外部に設けたが、浴室暖房乾燥機３に内蔵させるようにしても良い。
【符号の説明】
【００３５】
１  浴室
１０  ミストサウナ装置
１２  送風ファン
２５  第１遮蔽板
２６  第２遮蔽板
３０  ヒータ
【図１】
2012205789.tif 000003
【図２】
2012205789.tif 000004
【図３】
2012205789.tif 000005
【図４】
2012205789.tif 000006